(57)【要約】テレビジョン番組について検索し位置探しするため、インターネットサイトから得られるキーオブジェクトを用いる改善された方法を開示する。本発明の改善された方法の有利な実施例は、１）インターネットドキュメントでキーオブジェクトを識別する段階と、２）キーオブジェクトを検索可能ビデオレコーダに送る段階と、３）キーオブジェクトを含むテレビジョン番組を位置探しするために検索可能ビデオレコーダでキーオブジェクト検索を実行する段階と、４）キーオブジェクトを含むテレビジョン番組を識別するキーオブジェクト検索の検索結果を視聴者に供給する段階と、５）視聴者の命令に応答してキーオブジェクトを含むテレビジョン番組を選択する段階と、６）検索結果から視聴者によって選択されたテレビジョン番組を録画する段階と、を有する。
2004519137.tif 000002
【特許請求の範囲】
【請求項１】
テレビジョン番組について検索する方法であって、
少なくとも一つのインターネットドキュメントで少なくとも一つのキーオブジェクトを識別する段階と、
上記少なくとも一つのキーオブジェクトを検索可能ビデオレコーダに送る段階と、
上記少なくとも一つのキーオブジェクトを含む少なくとも一つのテレビジョン番組を位置探しするために上記検索可能ビデオレコーダでキーオブジェクト検索を実行する段階と、を有する方法。
【請求項２】
少なくとも一つのインターネットドキュメントで複数のキーオブジェクトを識別する段階と、
上記複数のキーオブジェクトをキーオブジェクトのリストに配置する段階と、
上記キーオブジェクトのリストを上記検索可能ビデオレコーダに送る段階と、
上記キーオブジェクトのリストにある少なくとも一つのキーオブジェクトを含む少なくとも一つのテレビジョン番組を位置探しするために上記検索可能ビデオレコーダでキーオブジェクト検索を実行する段階と、を有する請求項１記載の方法。
【請求項３】
上記キーオブジェクトのリストにある上記複数のキーオブジェクトに類似するキーオブジェクトを上記リストに追加することで上記キーオブジェクトのリストにある上記複数のキーオブジェクトの数を増加する段階を有する請求項２記載の方法。
【請求項４】
少なくとも一つのキーオブジェクトを含む少なくとも一つのテレビジョン番組を識別する、上記キーオブジェクト検索の検索結果を視聴者に供給する段階と、
視聴者の命令に応答して少なくとも一つのキーオブジェクトを含む少なくとも一つのテレビジョン番組を選択する段階と、
上記視聴者によって選択された上記少なくとも一つのテレビジョン番組を上記検索可能ビデオレコーダで録画する段階と、を有する請求項１記載の方法。
【請求項５】
少なくとも一つのキーオブジェクトを含む少なくとも一つのテレビジョン番組を含む、上記キーオブジェクト検索の検索結果を上記検索可能ビデオレコーダで受信する段階と、
上記検索結果で識別されたテレビジョン番組の少なくとも一つを上記検索可能ビデオレコーダで録画する段階と、を有する請求項１記載の方法。
【請求項６】
上記検索結果から録画されるべき少なくとも一つのテレビジョン番組を選択するために選択基準を使用する段階を有する請求項５記載の方法。
【請求項７】
上記選択基準は、特定の期間に表示されるテレビジョン番組だけを選択する、特定のテーマに最も関連すると思われるテレビジョン番組だけを選択する、検索可能ビデオレコーダのディスク空き限度が到達されるまで検索結果内に現れる全てのテレビジョン番組を選択する、上記検索可能ビデオレコーダによって上書きされてもよいテレビジョン番組を選択する、及び、上記検索可能ビデオレコーダによって上書きされてはならないテレビジョン番組を選択することのいずれか一つを有する請求項６記載の方法。
【請求項８】
上記検索結果で識別された全てのテレビジョン番組を上記検索可能ビデオレコーダで録画する段階を更に有する請求項５記載の方法。
【請求項９】
上記キーオブジェクト検索が所定の期間にわたって実行される請求項１記載の方法。
【請求項１０】
上記キーオブジェクト検索は、番組識別情報を用いて少なくとも一つのテレビジョン番組を識別する請求項１記載の方法。
【請求項１１】
上記キーオブジェクト検索は、上記キーオブジェクト検索で使用されたキーオブジェクトに適合するオブジェクトを見つけるために少なくとも一つのテレビジョン番組の少なくとも一つのビデオストリームを解析することで少なくとも一つのテレビジョン番組を識別する請求項１記載の方法。
【請求項１２】
上記検索可能ビデオレコーダは、ハードディスクメモリを有するビデオレコーダ、ハードディスクメモリを有するビデオレコーダを有するテレビジョンセット、ハードディスクメモリを有するビデオレコーダを有するセット・トップ・ボックス、ハードディスクメモリを有するビデオカセットレコーダ、及び、ビデオカードを有するパーソナル・コンピュータのうちのいずれか一つを有する請求項１記載の方法。
【請求項１３】
上記検索可能ビデオレコーダで前に録画されたテレビジョン番組において上記検索可能ビデオレコーダで上記キーオブジェクト検索を実行する段階を更に有する請求項４記載の方法。
【請求項１４】
テレビジョン番組について検索する方法であって、
少なくとも一つのインターネットドキュメントで複数のキーオブジェクトを識別する段階と、
上記複数のキーオブジェクトをキーオブジェクトのリストに配置する段階と、
上記キーオブジェクトのリストを上記検索可能ビデオレコーダに送る段階と、
上記キーオブジェクトのリストにある少なくとも一つのキーオブジェクトを含む少なくとも一つのテレビジョン番組を位置探しするために上記検索可能ビデオレコーダでキーオブジェクト検索を実行する段階と、
少なくとも一つのキーオブジェクトを含む少なくとも一つのテレビジョン番組を識別する、上記キーオブジェクト検索の検索結果を視聴者に供給する段階と、
視聴者の命令に応答して少なくとも一つのキーオブジェクトを含む少なくとも一つのテレビジョン番組を選択する段階と、
上記視聴者によって選択された上記少なくとも一つのテレビジョン番組を上記検索可能ビデオレコーダに録画する段階と、を有する方法。
【請求項１５】
上記キーオブジェクト検索が所定の期間にわたって実行される請求項１４記載の方法。
【請求項１６】
上記視聴者によって選択された上記少なくとも一つのテレビジョン番組を上記検索可能ビデオレコーダが録画したとき通知する段階を更に有する請求項１４記載の方法。
【請求項１７】
テレビジョン番組について検索する装置であって、
少なくとも一つのインターネットドキュメントで少なくとも一つのキーオブジェクトを識別する手段と、
上記少なくとも一つのキーオブジェクトを検索可能ビデオレコーダに送る手段と、
上記少なくとも一つのキーオブジェクトを含む少なくとも一つのテレビジョン番組を位置探しするために上記検索可能ビデレコーダでキーオブジェクト検索を実行する手段と、を有する装置。
【請求項１８】
ハードディスクメモリを有するビデオレコーダ、
ハードディスクメモリを有するビデオレコーダを有するテレビジョンセット、
ハードディスクメモリを有するビデオレコーダを有するセット・トップ・ボックス、
ハードディスクメモリを有するビデオカセットレコーダ、及び、
ビデオカードを有するパーソナル・コンピュータのいずれか一つを有する上記検索可能ビデオレコーダが請求項１記載の方法の一つを有する請求項１７記載の装置。
【発明の詳細な説明】
【０００１】
関連出願の他所参照
本出願は、“ＡＰＰＡＲＴＵＳ  ＡＮＤ  ＭＥＴＨＯＤ  ＦＯＲ  ＡＵＤＩＯ／ＤＡＴＡ／ＶＩＳＵＡＬ  ＩＮＦＯＲＭＡＴＩＯＮ  ＳＥＬＥＣＴＩＯＮ”なる名称のＤｉｍｉｔｒｏｖａ外によって１９９９年１１月１８日に出願された米国特許出願第０９／４４２，９６０号に開示されている発明に関わる。同特許出願は、本発明の譲受人に譲渡されている。この関連特許出願の開示は、本願に完全に記載する目的全てのために参照として本願に組み込む。
【０００２】
発明の背景
本発明は、テレビジョン番組について検索する方法に係わり、より特定的には、インターネットセッション中にインターネットドキュメント内でキーオブジェクト（例えば、キーワード）を識別し、このキーオブジェクトを用いてテレビジョン番組について検索し位置探しする改善された方法に関わる。
【０００３】
発明の背景
インターネットサイトから情報を得て、この情報をビデオ番組内に盛り込むことができる従来技術のシステム及び方法が存在する。例えば、Ｕｌｌｍａｎ外に対して２０００年１月２５日に発行された米国特許第６，０１８，７６８号は、インターネットから情報のセグメントを得て、このインターネット情報セグメントをビデオ番組内に盛り込み表示するシステムを開示する。インターネット情報セグメントは、ウェブページの画像又はウェブページのアドレスであってもよい。ウェブページのアドレスを「ユニフォーム・リソース・ロケータ」又は「ＵＲＬ」と呼ぶ。
【０００４】
他の従来技術のシステムは、視聴者が関心のあるテレビジョン番組を探すために、インターネット上で利用できる検索エンジンを用いてコンピュータ化されたテレビジョン番組案内を検索することができる。これらのタイプのシステムでは、視聴者は、インターネット検索エンジンに一つ以上のキーワードを送るためにパーソナル・コンピュータを使用する。インターネット検索エンジンは、そのキーワードを含むテレビジョン番組を位置探しするために一つ以上のコンピュータ化されたテレビジョン番組を検索するようキーワードを使用する。インターネット検索エンジンは、そのキーワードを含むテレビジョン番組を識別する検索結果のリストをコンパイルする。インターネット検索エンジンは、検索結果を視聴者のパーソナル・コンピュータに送る。視聴者は、検索結果から一つ以上のテレビジョン番組を選択し、そのテレビジョン番組を放送時に録画するようビデオレコーダに命令を送る。このタイプのシステムでは、視聴者が検索プロセスを開始するためにインターネット検索エンジンに所望のキーワードを与える。
【０００５】
しかしながら、多くの場合、視聴者がインターネットドキュメントにアクセスしているとき、視聴者は、どのキーワードに関心を示すかを予め知ることができない。つまり、視聴者があるインターネットドキュメントから別のインターネットドキュメントに順次に移動するとき（即ち、インターネットを「サーフィング」しているとき）、視聴者が、前は知らなかった、関心のある新しいトピックを見つけることがしばしばある。関心のある新しいキーワードの発見は、視聴者のインターネットセッションを通じて起こる。視聴者は、もしあるならば、その関心のある新しいキーワードに関連してどのテレビジョン番組が存在し、いつそのテレビジョン番組が放送されるかに当然興味を持つであろう。
【０００６】
例えば、ある学生が宿題に天文学をテーマとした勉強をしていると仮定する。その学生がそのテーマに関する情報を探すためにインターネットをサーフィングしていると、その学生はそのテーマに関わりのある関心のある新しいキーワードに遭遇することがある。学生は、探している天文学のテーマに関連するテレビジョン番組があるか否かを知りたいと思うであろう。更に、その学生は、そのテレビジョン番組が放送される時間とチャンネルを知りたいと思うであろう。学生は、そのテレビジョン番組を自動的に録画するために自身のビデオレコーダをプログラム予約したいと思うであろう。
【０００７】
従って、技術において、視聴者がインターネットセッション中でキーワードを識別したときインターネットドキュメント内で新しいキーワードを選択することを可能にする、テレビジョン番組を検索する方法が必要である。更に、技術において、インターネットセッション中に新しく識別されたキーワードのリストを自動的にコンパイルすることを視聴者に可能にさせる、テレビジョン番組を検索する方法が必要である。更に、技術において、キーワードを含むテレビジョン番組を検索するために新しく識別されたキーワードのリストを使用することを視聴者に可能にさせる、テレビジョン番組を検索する方法が必要である。
【０００８】
発明の要約
本発明は、インターネットセッション中にインターネットドキュメント内でキーワードを識別し、そのキーワードを用いてテレビジョン番組を検索し位置探しする改善された方法を一般的に有する。
【０００９】
本発明の有利な実施例では、本発明の改善された方法は、１）インターネットドキュメントでキーワードを識別する段階と、２）検索可能ビデオレコーダにキーワードを送る段階と、３）キーワードを含むテレビジョン番組を位置探しするために検索可能ビデオレコーダでキーワード検索を実行する段階と、４）キーワードを含むテレビジョン番組を識別するキーワード検索の検索結果を視聴者に提供する段階と、５）視聴者の命令に応答してキーワードを含むテレビジョン番組を選択する段階と、６）検索結果から視聴者によって選択されたテレビジョン番組を録画する段階と、を有する。
【００１０】
本発明は、テレビジョン番組について検索し位置探しする改善された方法を提供することを主な目的とする。
【００１１】
本発明は、視聴者がインターネットドキュメントから識別し選択する新しいキーワードでテレビジョン番組について検索し位置探しする改善された方法を提供することを別の目的とする。
【００１２】
本発明は、検索可能ビデオレコーダによって実行されたキーワード検索を用いてテレビジョン番組について検索し位置探しする改善された方法を提供することを更なる目的とする。
【００１３】
本発明は、予め記録されたキーワードのパーソナルプロフィールに基づいてキーワードを自動的に選択する、キーワード検索を用いてテレビジョン番組について検索し位置探しする改善された方法を提供することを別の目的とする。
【００１４】
本発明は、前のキーワードの類義語を得ることでキーワードのリストを自動的に拡大する、キーワード検索を用いてテレビジョン番組について検索し位置探しする改善された方法を提供することを更なる目的とする。
【００１５】
本発明は、主テーマ及び重要なキーワードを識別するためにインターネットドキュメントのテキストを自動的に解析する、キーワードを用いてテレビジョン番組について検索し位置探しする改善された方法を提供することを別の目的とする。
【００１６】
本発明は、一つ以上の電子データベースのキーワード検索によって位置探しされた一つ以上のテレビジョン番組を録画のために選択することを視聴者に可能にさせる、テレビジョン番組について検索し位置探しする改善された方法を提供することを別の目的とする。
【００１７】
本発明は、テレビジョン番組のビデオストリームを解析するキーワード検索によって位置探しされた一つ以上のテレビジョン番組を録画のために選択することを視聴者に可能にさせる、テレビジョン番組について検索し位置探しする改善された方法を提供することを別の目的とする。
【００１８】
上述の説明は、以下の本発明の詳細な説明を当業者がより良く理解できるよう本発明の特徴及び技術的な利点を比較的広く要約したものである。本発明の特許請求の範囲の技術的内容を形成する本発明の追加的な特徴及び利点は以下に詳細に説明する。当業者は、開示する概念及び特定の実施例を、本発明と同じ目的を実行する上で他の構造を変更又は設計する基礎として容易に使用し得ることを認識するべきである。当業者は、このような同等の構成は、最も広い形態において本発明の精神及び範囲から逸脱しないことを認識すべきである。
【００１９】
詳細な説明に入る前に、本特許文書を通して使用される決まった用語及び表現を先に定義することが有利となり得、「含む」及び「有する」といった用語、並びに、それから派生する語は制限無しに包有することを意味し、「又は」の用語は及び／又はの意味も含み、「関連する」及び「関連付けられる」といった表現、並びに、それから派生する表現は、含む、含まれる、相互接続される、収容する、収容される、接続する、接続される、結合する、結合される、通信可能である、協動する、インタリーブする、並置する、近似する、密接に関係する、密接に関係される、有する、〜の特性を有する又は同等のものとして意味し得、「コントローラ」、「プロセッサ」、または「装置」といった用語は全ての装置、システム又は少なくとも一つの動作を制御する一部を意味し得、このような装置はハードウェア、ファームウェア、又は、ソフトウェア、若しくは、少なくともこれらのうちの２つを組み合わせたもので実施され得る。全ての特定のコントローラと関連する機能性は、局部的又は遠隔的であっても中央に集中するか分配してもよいことに注意すべきである。ある用語及び表現の定義が本特許文書を通じて与えられる。当業者は、このような定義が殆どでなければ多くの場合、このような定義は、このように定義された用語及び表現の従来、並びに、将来的な使用に適用されることを理解すべきである。
【００２０】
発明の詳細な説明
本発明及びその利点をより完全に理解するために、同様の参照記号が同様のオブジェクトを示している添付の図面と共に以下の説明を参照する。
【００２１】
以下に説明する図１及び図２と、本発明の改善された方法の原理を説明するために本特許文書に記載する様々な実施例は、例示的に過ぎず、本発明の範囲を如何なる方法でも制限するものとして解釈されてはならない。本発明の改善された方法は、検索可能なビデレコーダと関連して使用するものとして説明される。当業者は、本発明の原理が他の同様のタイプのレコーディング装置にもうまく適用され得ることを容易に理解するであろう。
【００２２】
図１は、本発明の改善された方法が使用され得るシステム１００のブロック図である。システム１００では、視聴者は、パーソナル・コンピュータ１２０からインターネット１１０にアクセスする。本発明の有利な実施例ではパーソナル・コンピュータを用いているが、本発明がパーソナル・コンピュータとの使用に制限されないことは明らかである。つまり、他のタイプの機器が用いられてもよいことが明らかである。例えば、パーソナル・コンピュータ１２０は、ウェブ許可されたセット・トップ・ボックス、パーソナル・ディジタル・レコーダ、パーソナル・ビデオ・レコーダ、又は、他の同様のタイプの電子機器を有してもよい。「パーソナル・コンピュータ１２０」といった用語は、パーソナル・コンピュータと、他のタイプの同様の機器を指すものとする。
【００２３】
視聴者は、あるインターネットドキュメントから別のインターネットドキュメントに順次に移動すると、関心のあるトピックを識別するであろう。視聴者は、検索するキーワードとなるワードを各インターネットドキュメントで識別する。視聴者によって選択されたキーワードは、パーソナル・コンピュータ１２０に自動的に送られる。視聴者がインターネットセッションを続ける間、キーワードは、パーソナル・コンピュータで検索キーワードのリストに配置される。
【００２４】
視聴者によって識別されたキーワードは、キーワードの拡大された組の基礎となり得る。例えば、各キーワードは、キーワードの類義語のリストを提供することができるデータベース（例えば、ワールドネット）に送られてもよい。例えば、キーワードが「車」の場合、拡大されたキーワードの組は、「自動車」及び「乗り物」のような類義語も追加する。「改造車（ホット・ロッド）」又は「ポンコツ車（ジャロピー）」のような俗語が追加されてもよい。
【００２５】
視聴者が識別したキーワードは、視聴者の興味を反映するキーワードのパーソナルプロフィールに追加されてもよい。キーワードの一つ以上のパーソナルプロフィールが、特定のテーマに関連するキーワードのリストを含むキーワードの各パーソナルプロフィールと存在してもよい。
【００２６】
代替の実施例では、視聴者によってアクセスされたインターネットドキュメントのテキストは、パーソナル・コンピュータ１２０で予め作成されたキーワードのリストと自動的に比べられる。このようにして、検索キーワードは、視聴者の予め作成されたキーワードの「パーソナルプロフィール」のリストと適合した場合、インターネットドキュメントから自動的に引き出される。
【００２７】
代替の実施例では、インターネットドキュメントのテキストは、インターネットドキュメントの主テーマとドキュメント中の重要なキーワードを引き出すために、周知の自然言語処理技法を用いて自動的に解析される。このような方法の一つは、Ｃｈｉｎ−Ｙｅｗ  Ｌｉｎによる“Ａｓｓｅｍｂｌｙ  ｏｆ  Ｔｏｐｉｃ  Ｅｘｔｒａｃｔｉｏｎ  Ｍｏｄｕｌｅｓ  ｉｎ  Ｓｕｍｍａｒｉｓｔ”，Ａｍｅｒｉｃａｎ  Ａｓｓｏｃｉａｔｉｏｎ  ｏｆ  Ａｒｔｉｆｉｃｉａｌ  Ｉｎｔｅｌｌｉｇｅｎｃｅ，Ｓｐｒｉｎｇ  １９９８  Ｓｙｍｐｏｓｉｕｍ  ｏｎ  Ｉｎｔｅｌｌｉｇｅｎｔ  Ｔｅｘｔ  Ｓｕｍｍａｒｉｚａｔｉｏｎ，ｐｐ．５３−５９（１９９８）に記載されている。テーマとキーワードとは、視聴者のパーソナルプロフィールに追加され、当該テレビジョン番組について検索するために使用される。
【００２８】
キーワードの引き出しのために解析されるドキュメントは、現在のドキュメントだけでなく、最終ドキュメントに到達するまでに開けられ検討された一連のドキュメントも解析される。本発明の方法は、全てのドキュメントのテーマ（即ち、題名）と、途中で行われた、異なる「クリック」（即ち、一連のＵＲＬ）を識別することができる。例えば、視聴者は、ＣＮＮウェブページから始め、ヘッドラインニューズページにいってから、ジョージ・ウォーカー・ブッシュ（Ｇｅｏｒｇｅ  Ｗ．Ｂｕｓｈ）のページに到達してもよい。途中の各ドキュメントは、キーワード引き出し技法を用いて解析され得る。
【００２９】
検索キーワードのリストは、検索キーワードを含むテレビジョン番組について検索するために使用されてもよい。視聴者の命令に応答して、検索キーワードのリストは、検索可能ビデオレコーダ１３０に送られる。検索可能ビデオレコーダ１３０は、キーワード検索を実施することができる装置を有する。検索可能ビデオレコーダ１３０は、“ＡＰＰＡＲＴＵＳ  ＡＮＤ  ＭＥＴＨＯＤ  ＦＯＲ  ＡＵＤＩＯ／ＤＡＴＡ／ＶＩＳＵＡＬ  ＩＮＦＯＲＭＡＴＩＯＮ  ＳＥＬＥＣＴＩＯＮ”なる名称のＤｉｍｉｔｒｏｖａ外によって１９９９年１１月１８日に出願された米国特許出願第０９／４４２，９６０号に記載されるような装置を有してもよい。
【００３０】
検索可能ビデオレコーダ１３０は、ハードディスクドライブメモリを有するビデオレコーダ、ハードディスクドライブメモリを有するビデオレコーダを有するテレビジョンセット、ハードディスクドライブメモリを有するビデオレコーダを有するセット・トップ・ボックス、ハードディスクドライブメモリを有するビデオカセットレコーダ、又は、ビデオカードを有するパーソナル・コンピュータでもよい。検索可能ビデオレコーダ１３０は、パーソナル・コンピュータ１２０から検索キーワードのリストを受信し、コンピュータ化されたデータベースの検索を実行することができる。
【００３１】
例えば、図１は、テレビジョン番組案内１４０に結合された検索可能ビデオレコーダ１３０を示す。検索可能ビデオレコーダ１３０は、テレビジョン番組案内１４０に列挙されているテレビジョン番組内で適合するワードを検索するために検索キーワードのリストを使用する。キーワード検索は、「検索を実行するために割り当てられた時間」と呼ばれる所定の長さの時間にわたって実行される。適合するキーワードを含むテレビジョン番組が、テレビジョン番組案内１４０に位置するため、検索可能ビデオレコーダ１３０は、検索結果をパーソナル・コンピュータ１２０に送る。或いは、検索が完了した後（又は、検索を実行するために割り当てられた時間が経過した後）、検索可能ビデオレコーダ１３０は検索結果をパーソナル・コンピュータ１２０に送る。
【００３２】
検索可能ビデオレコーダ１３０は、検索結果からの情報を用いて、選択されたテレビジョン番組をその放送される時間に録画する。本発明の方法の一実施例では、視聴者が検索結果を検討してどのテレビジョン番組を録画するかに関する命令を与えるよう、検索可能ビデオレコーダ１３０は、検索結果をパーソナル・コンピュータ１２０に送る。
【００３３】
本発明の方法の別の実施例では、検索可能ビデオレコーダ１３０は、テレジョン番組を自動的に録画し、テレビジョン番組が録画された通知を視聴者（パーソナル・コンピュータ１２０）に送る。視聴者が録画されたテレビジョン番組を削除することを望む場合、視聴者は、自動的に録画されたテレビジョン番組を削除する命令を送ることができる。
【００３４】
本発明の方法の別の実施例では、検索可能ビデオレコーダ１３０は、選択基準を用いて検索結果からテレビジョン番組を選択することができる。例えば、選択基準は、特定の期間（例えば、次の二日間）に表示されるテレビジョン番組だけを選択することでもよい。選択基準は、特定のテーマに最も関連があると思われるテレビジョン番組だけを選択することでもよい。選択基準は、検索ビデオレコーダ１３０のディスク空きの限界に到達するまで検索結果に現れる全てのテレビジョン番組を選択し録画することでもよい。選択基準は、録画された番組を上書きする（又は、上書きしない）ことでもよい。
【００３５】
本発明の方法の別の実施例では、検索可能ビデオレコーダ１３０は、検索結果に現れる全てのテレビジョン番組を録画するよう命令が与えられる。
【００３６】
テレビジョン番組案内１４０のようなコンピュータ化されたデータベースを検索することに加えて、検索可能ビデオレコーダ１３０は、他のタイプの検索を実行することもできる。検索可能ビデオレコーダ１３０は、利用できる場合には、番組識別（ＩＤ）情報を用いてテレビジョン番組を識別し得る。検索可能ビデオレコーダ１３０は、検索キーワードに適合するワードを探すためにテレビジョン番組のビデオストリームを解析することでテレビジョン番組を識別することもできる。検索可能ビデオレコーダ１３０は、検索キーワードに適合するワードをテレビジョン番組で探すためにテレビジョン番組のメタデータ及び要約を解析することでテレビジョン番組を識別することもできる。検索可能ビデオレコーダ１３０は、検索キーワードに適合するワードを含むテレビジョン番組を識別するために前に録画されたテレビジョン番組のコンテンツを検索してもよい。
【００３７】
本発明の方法は、テキスト材料でキーワードを位置探しすることに関して説明した。例えば、ビデオ材料を含むがテキストを含まないウェブページも幾つかある。しかしながら、本発明の方法は、画像、ビデオセグメント、及び、オーディオセグメントを位置探しすることもできる。例えば、ビデオ画像（即ち、「静止」「画像」）が、適合するビデオ画像を探すためにキーワードに類似する方法で「キー画像」として機能し得る。ビデオセグメント（即ち、ビデオ「クリップ」）が、適合するビデオセグメントを探すためにキーワードに類似する方法で「キービデオセグメント」として機能し得る。オーディオセグメントは、適合するオーディオセグメントを探すためにキーワードに類似する方法で「キーオーディオセグメント」と機能し得る。画像、ビデオセグメント、及び、オーディオセグメントは、“ＡＰＰＡＲＴＵＳ  ＡＮＤ  ＭＥＴＨＯＤ  ＦＯＲ  ＡＵＤＩＯ／ＤＡＴＡ／ＶＩＳＵＡＬ  ＩＮＦＯＲＭＡＴＩＯＮ  ＳＥＬＥＣＴＩＯＮ”なる名称のＤｉｍｉｔｒｏｖａ外によって１９９９年１１月１８日に出願された米国特許出願第０９／４４２，９６０号に記載するような装置を用いて位置探しされ得る。
【００３８】
画像適合技法、ビデオ適合技法、及び、オーディオ適合技法は、技術において周知である。このような技法の説明に関しては、Ｍ．Ｓ．Ａｂｄｅｌ−Ｍｏｔｔａｌｅｂ外による“ＭＰＥＧ−７  Ａｐｐｌｉｃａｔｉｏｎｓ  ａｎｄ  Ｓｕｐｐｏｒｔｉｎｇ  Ｔｅｃｈｎｏｌｏｇｉｅｓ”，Ｉｎｔｅｒｎａｔｉｏｎａｌ  Ｗｏｒｋｓｈｏｐ  ｏｎ  Ｖｅｒｙ  ｌｏｗ  Ｂｉｔｒａｔｅ  ｖｉｄｅｏ  Ｃｏｄｉｎｇ（ＶＬＢＶ），Ｕｒｂａｎａ，Ｉｌｌｉｎｏｉｓ（１９９８年１０月）なる名称の文献を参照したい。中でもＶｉｒａｇｅ、ＩＳＬＩＰ、Ｍａｇｎｉｆｉのようなソフトウェア会社は、画像適合、ビデオ適合、及び、オーディオ適合のためのソフトウェアを作成している。
【００３９】
「キーワード」、「キー画像」、「キービデオセグメント」、及び、「キーオーディオセグメント」といった用語を一般的に示すために「キーオブジェクト」といった用語を用いる。「ワード」、「画像」、「ビデオセグメント」、及び、「オーディオセグメント」といった用語を一般的に示すために「オブジェクト」といった用語を用いる。
【００４０】
図２は、本発明による動作の一つの有利な方法を示すフローチャートである。図２に示す動作の方法における段階は、参照番号２００で集合的に識別されている。視聴者は、インターネットにアクセスし、インターネットドキュメントを見る。キーオブジェクトがインターネットドキュメントで識別される（段階２１０）。視聴者は、インターネットドキュメント中でキーオブジェクトを識別するか、キーオブジェクトが視聴者のプロフィールから識別される。キーオブジェクトが識別されると、そのキーオブジェクトはキーオブジェクトのリストに配置される（段階２２０）。
【００４１】
キーオブジェクトのリストは検索可能ビデオレコーダ１３０に送られる（段階２３０）。検索可能ビデオレコーダ１３０は、少なくとも一つのキーオブジェクトを含むテレビジョン番組を位置探しするためにキーオブジェクト検索を実行する（段階２４０）。検索が完了すると、検索可能ビデオレコーダ１３０は、検索結果を視聴者に供給する（段階２５０）。視聴者は、検索可能ビデオレコーダによって録画されるべきテレビジョン番組を選択する（段階２６０）。
【００４２】
本発明は、詳細に説明されたが当業者は、最も広い形態において本発明の精神及び範囲から逸脱することなく本願において様々な変化、代用、及び、変更をなし得ることを理解すべきである。
【図面の簡単な説明】
【図１】
本発明の改善された方法が使用され得る、システムの有利な実施例を示すブロック図である。
【図２】
本発明の改善されたシステムの動作の有利な方法を示すフローチャートである。
【図１】
2004519137.tif 000003
【図２】
2004519137.tif 000004
【国際公開パンフレット】
2004519137.tif 000005
2004519137.tif 000006
2004519137.tif 000007
2004519137.tif 000008
2004519137.tif 000009
2004519137.tif 000010
2004519137.tif 000011
2004519137.tif 000012
2004519137.tif 000013
2004519137.tif 000014
2004519137.tif 000015
2004519137.tif 000016
2004519137.tif 000017
2004519137.tif 000018
2004519137.tif 000019
2004519137.tif 000020
2004519137.tif 000021
【国際調査報告】
2004519137.tif 000022
2004519137.tif 000023
2004519137.tif 000024